(57)【要約】      （修正有）【課題】デジタルカメラで撮影した画像を、簡単かつ直感的な操作によって、アップロードする画像の閲覧権限を設定できる情報処理装置を提供する。【解決手段】画像ごとの閲覧権限を管理する公開サーバ１０１と、撮影画像データを保持している撮像装置、およびユーザ情報を保持している携帯端末と通信が可能な情報処理装置であって、撮像装置から撮影画像データを取り込む画像取り込み手段と、取り込んだ画像データの閲覧権限を制御する閲覧権限制御手段を有し、情報処理装置と撮像装置が通信可能となった場合、撮像装置から撮影画像データを取り込み、取り込み動作のタイミングに関連する所定の有効期間内に携帯端末と通信可能となった場合、携帯端末から受信したユーザ情報により、閲覧権限制御手段によって撮影画像データに対して第一の閲覧権限を設定した上で、撮影画像データを公開サーバにアップロードする。【選択図】図１
2017021549.tif 000002
【特許請求の範囲】
【請求項１】
画像ごとの閲覧権限を管理する公開サーバと、撮影画像データを保持している撮像装置、およびユーザ情報を保持している携帯端末と通信が可能な情報処理装置であって、前記撮像装置から撮影画像データを取り込む画像取り込み手段と、該取り込んだ画像データの閲覧権限を制御する閲覧権限制御手段を有し、情報処理装置と前記撮像装置が通信可能となった場合、撮像装置から撮影画像データを取り込み、該取り込み動作のタイミングに関連する所定の有効期間内に前記携帯端末と通信可能となった場合、該携帯端末から受信した前記ユーザ情報により、前記閲覧権限制御手段によって前記撮影画像データに対して第一の閲覧権限を設定した上で、該撮影画像データを前記公開サーバにアップロードすることを特徴とする情報処理装置。
【請求項２】
前記所定の有効期間内に携帯端末との通信が可能にならなかった場合は、前記閲覧権限制御手段は該取り込んだ前記撮影画像データに対して前記個別閲覧権限とは異なる第二の閲覧権限を設定した上で、画像を前記公開サーバにアップロードすることを特徴とする請求項１に記載の情報処理装置。
【請求項３】
前記第一の閲覧権限は、前記ユーザ情報を有する携帯端末でのみ閲覧可能となる、個別権限であることを特徴とする請求項１又は請求項２に記載の情報処理装置。
【請求項４】
前記第二の閲覧権限は、前記ユーザ情報を有しない携帯端末で閲覧可能となる、共有権限であることを特徴とする請求項１乃至請求項３の何れか一項に記載の情報処理装置。
【請求項５】
所定の有効期間とは、情報処理装置と前記撮像装置の通信が可能となったタイミングから一定の時間内であることを特徴とする請求項１乃至請求項４の何れか一項に記載の情報処理装置。
【請求項６】
所定の有効期間とは、情報処理装置と前記携帯端末の通信が可能となったタイミングから一定の時間内であることを特徴とする請求項１乃至請求項５の何れか一項に記載の情報処理装置。
【請求項７】
所定の有効期間とは、情報処理装置と前記撮像装置の通信が行われてから、次回情報処理装置と前記撮像装置の通信が行われるまでの間であることを特徴とする請求項１乃至請求項６の何れか一項に記載の情報処理装置。
【請求項８】
所定の有効期間とは、情報処理装置と前記撮像装置の通信が行われてから前記公開サーバへのアップロードが開始されるまでの間であることを特徴とする請求項１乃至請求項７の何れか一項に記載の情報処理装置。
【請求項９】
所定の有効期間に情報処理装置と複数の前記携帯端末との通信が可能となった場合、前記閲覧権限制御手段は該取り込んだ前記撮影画像データに対して、それぞれの前記携帯端末に関連した複数の個別権限を設定することを特徴とする請求項１乃至請求項８の何れか一項に記載の情報処理装置。
【請求項１０】
情報処理装置に登録されている登録ユーザ情報を有するとともに、前記携帯端末から受信したユーザ情報が前記登録ユーザ情報に含まれていた場合、前記閲覧権限制御手段は該取り込んだ前記撮影画像データに対して、前記個別閲覧権限を設定した上で、画像を前記公開サーバにアップロードすることを特徴とする請求項１乃至請求項８の何れか一項に記載の情報処理装置。
【発明の詳細な説明】
【技術分野】
【０００１】
本発明は、画像サーバとネットワークを通じて連携して動作し、撮像装置や携帯端末とも通信を行い、画像サーバと撮像装置、携帯端末の仲立ちとしての処理を行う情報処理装置に関する。
【背景技術】
【０００２】
デジタルカメラで撮影された画像は、紙にプリントして観賞したり、ＰＣに取りこんで閲覧したりする従来からのユースケースのほか、サーバに画像をアップロードし、個人で閲覧したり、複数のユーザ間で撮影画像を共有するユースケースが増えている。このようなユースケースに関する開示がある（特許文献１参照）。
【０００３】
ここでは、サーバに画像をアップロードする場合、最初はアップロードしたユーザのみが閲覧可能な状態になっていて、該アップロードしたユーザが改めて公開のための作業を行うことによって、第三者から閲覧が可能な状態になるというものである。なお、ユーザごとに閲覧可能な画像を変えたい場合は、閲覧可能としたいユーザに対してアップロード先（ＵＲＬ：Ｕｎｉｆｏｒｍ  Ｒｅｓｏｕｒｃｅ  Ｌｏｃａｔｏｒ）を通知することで対応することができる。
【先行技術文献】
【特許文献】
【０００４】
【特許文献１】特開２００６−３９８００号公報
【発明の概要】
【発明が解決しようとする課題】
【０００５】
しかしながら、この開示の技術では、アップロードする画像に閲覧権限を設定する場合、どの画像を誰に見せるかを個別に設定しつつ作業を行わなければならず、この作業は煩わしいものであった。
【０００６】
本発明は以上の点を鑑みてなされたものであり、簡単かつ直感的な操作によって、画像の閲覧権限を設定しつつ画像のアップロードを行うことができる情報処理装置を提供することを目的とする。
【課題を解決するための手段】
【０００７】
上記の目的を達成するために、本発明に係る情報処理装置は、画像ごとの閲覧権限を管理する公開サーバと、撮影画像データを保持している撮像装置、およびユーザ情報を保持している携帯端末と通信が可能な情報処理装置であって、前記撮像装置から撮影画像データを取り込む画像取り込み手段と、該取り込んだ画像データの閲覧権限を制御する閲覧権限制御手段を有し、情報処理装置と前記撮像装置が通信可能となった場合、撮像装置から撮影画像データを取り込み、該取り込み動作のタイミングに関連する所定の有効期間内に前記携帯端末と通信可能となった場合、該携帯端末から受信した前記ユーザ情報により、前記閲覧権限制御手段によって前記撮影画像データに対して第一の閲覧権限を設定した上で、該撮影画像データを前記公開サーバにアップロードすることを特徴とする。
【発明の効果】
【０００８】
本発明に係る画像利用システムによれば、デジタルカメラで撮影した画像を画像ステーションに取り込む際に、携帯端末を画像ステーションに近接させることで携帯端末に関連したユーザの閲覧権限を該取り込む画像に付与して公開サーバに画像をアップロードすることが出来るため、簡単かつ直感的な操作によって、アップロードする画像の閲覧権限を設定する情報処理装置を提供することができる。
【図面の簡単な説明】
【０００９】
【図１】実施例１および２の、画像利用システムの機器構成を示す図である。
【図２】実施例１および２の、画像利用システムを構成する機器のブロック図である。
【図３】実施例１および２の、画像ステーションの動作を示すフローチャートである。
【図４】実施例１および２の、デジタルカメラの動作を示すフローチャートである。
【図５】実施例１および２の、携帯端末の動作を示すフローチャートである。
【図６】実施例１および２の、画像利用システムを構成する機器の動作を示すシーケンスチャートである。
【図７】実施例１および２の、画像利用システムを構成する機器の動作を示すシーケンスチャートである。
【図８】実施例１および２の、画像利用システムを構成する機器の動作を示すシーケンスチャートである。
【図９】実施例１および２の、公開サーバにアップロードされた画像の例を示す図である。
【図１０】実施例１および２の、携帯端末における画像一覧表示の例を示す図である。
【図１１】実施例２の画像ステーションの動作を示すフローチャートである。
【発明を実施するための形態】
【００１０】
以下、図面を参照しながら本発明の好適な実施の形態を説明する。
【００１１】
［実施例１］
本発明を、デジタルカメラおよび閲覧端末、さらにサーバおよび画像ステーションからなる画像利用システムにおいて実施した第一の実施例について、図面を用いて説明する。
【００１２】
図１は本実施形態の画像利用システムの機器構成を示す図であり、公開サーバ１０１は後述する公開用の画像を保存するとともに、ネットワーク１０２を通じた後述の携帯端末からのアクセスを管理する。無線ＬＡＮアクセスポイント１０３は、後述の閲覧端末および画像ステーションと無線によるデータ通信を行い、ネットワーク１０２とのデータ通信の仲立ちを行う。
【００１３】
閲覧端末［１］１０４ａおよび閲覧端末［２］１０４ｂは、前記公開サーバにログインするために、ユーザＩＤおよびパスワードからなるログイン情報を保持するとともに、該ログイン情報を用いて前記公開サーバにログインし、保存されている公開用の画像の表示を行う。デジタルカメラ１０５は画像の撮影を行った後、撮影画像を一時的に保持する。画像ステーション１０６は、前記デジタルカメラの撮影画像を取り込み、内蔵するストレージ媒体に該撮影画像を保存するとともに、保存した撮影画像に対して現像処理やＪＰＥＧ符号化を行って閲覧用画像を作成し、前記公開サーバに転送を行う。
【００１４】
図２は本実施形態の画像利用システムを構成する機器のブロック図である。図２ａは前記画像ステーションのブロック図であり、無線ＬＡＮ送受信部２０２ａは、無線ＬＡＮアンテナ２０１ａを通じて、閲覧端末、デジタルカメラおよび公開サーバとの通信を行い、撮影画像や制御信号などを送受信する。作業メモリ（ＤＲＡＭ）２０３ａは、カメラから受信した撮影画像を展開するための作業メモリ空間の提供を行うとともに、前記閲覧用画像の作成の際の作業メモリ空間も提供する。ＮＦＣ送受信部２０５ａは、本画像ステーションの上にデジタルカメラまたは閲覧端末が載せられたときに、ＮＦＣアンテナ２０４ａを通じて後述する通信を行う。
【００１５】
なお、ＮＦＣ（Ｎｅａｒ  ｆｉｅｌｄ  ｃｏｍｍｕｎｉｃａｔｉｏｎ）は近距離通信のことであり、上述のように機器同士を近接させることで通信が可能となる通信手段である。ストレージ媒体２０６ａは、デジタルカメラから受信した画像データを保存する。閲覧用画像作成回路２０７ａは、前記作業メモリ（ＤＲＡＭ）に格納されている前記カメラから受信した画像データから、閲覧端末における閲覧のために前記公開サーバにアップロードする閲覧用画像を作成し、再び作業メモリ（ＤＲＡＭ）に格納する。
【００１６】
タイマー２０８ａは、タイマー停止時に画像ステーションの上にデジタルカメラまたは閲覧端末が載せられた場合にカウントがスタートし、後述のタイムアウトまでの時間を測定する。制御回路（ＣＰＵ）２０９ａは、後述のＲＯＭ２１０ａに格納されているプログラムを実行する。ここでいうプログラムとは、本実施形態にて後述する各種シーケンスを実行するためのプログラムのことであり、後述する本実施形態の各処理を実現する。
【００１７】
図２ｂはデジタルカメラの構成例を示すブロック図であり、撮影レンズ２０１ｂは、被写体像をとらえ、絞り２０２ｂによって光量を所定量に制限した後、撮像素子２０３ｂ上に被写体像を結像させる。結像した被写体像は、Ａ／Ｄコンバータ２０４ｂでデジタル化され、画像処理部２０５ｂでガンマ補正やホワイトバランス補正、ノイズリダクション処理等が行われた後、データバス２０６ｂに非圧縮画像データおよび画像表示用のデータとして出力され、作業メモリ（ＤＲＡＭ）２１０ｂに格納される。液晶パネル２０８ｂは、画像や各種情報を表示する表示部である。
【００１８】
液晶ドライバ２０９ｂが、前記作業メモリ（ＤＲＡＭ）２１０ｂに格納されている画像表示用のデータを液晶表示信号に変換して液晶パネル２０８ｂに逐次転送して表示することで、電子ビューファインダとして機能し、画像表示を行うことができる。記録媒体２１１ｂは、カメラ本体に対して着脱が可能な、ＮＡＮＤ型フラッシュメモリおよびフラッシュコントローラで構成されているメモリカードであり、ＰＣ互換性を持つＦＡＴ（Ｆｉｌｅ  Ａｌｌｏｃａｔｉｏｎ  Ｔａｂｌｅ）ファイルシステムでフォーマットされている。
【００１９】
前記符号化データは、該フォーマットに則り、ファイル化されて前記メモリカードに記録される。無線ＬＡＮ送受信部２１３ｂは、無線ＬＡＮアンテナ２１２ｂを通じて、後述する閲覧端末との通信を行い、画像データや制御信号などを送受信する。ＮＦＣ送受信部２１５ｂは、ＮＦＣアンテナ２１４ｂを通じて、前記画像ステーションとの間で後述の通信を行う。操作回路２１６ｂは、ユーザが行う不図示の操作キーなどを通じた操作を受け付ける回路であり、静止画の撮影を指示するレリーズキー、撮影モードや再生モードなどのカメラのモードを設定するモードスイッチ、および各種設定項目の設定キーを含む。
【００２０】
制御回路（ＣＰＵ）２１７ｂは、後述のＲＯＭ２１８ｂに格納されているプログラムを実行する。ここでいうプログラムとは、本実施形態にて後述する各種シーケンスを実行するためのプログラムのことであり、後述する本実施形態の各処理を実現する。また、液晶ドライバ２０９ｂ等を制御することにより表示制御も行う。ＲＯＭ２１８ｂは、電気的に消去・記録可能な不揮発性メモリであって、前述のプログラム、本体の設定内容等が格納される。
【００２１】
図２ｃは本実施形態の閲覧端末の構成例を示すブロック図であり、液晶パネル２０１ｃは、画像や各種情報を表示する表示部である。液晶ドライバ２０２ｃは、作業メモリ（ＤＲＡＭ）２０３ｃに格納されている画像表示用のデータを液晶表示信号に変換して液晶パネル２０１ｃに供給する。作業メモリ（ＤＲＡＭ）２０３ｃは、カメラから受信した画像データを展開するための作業メモリ空間の提供も行うとともに、液晶パネル２０１ｃで表示を行うためのビデオメモリとしての空間も提供する。
【００２２】
２０４ｃは、前記液晶パネル２０１と一体に実装されるタッチパネルで、液晶パネルに表示されるソフトウエアスイッチの位置でユーザのタッチ操作を検知することでユーザからの各種操作を受け付けるスイッチの役目を果たす。記録媒体２０６ｃは、受信した前記ＪＰＥＧ静止画を保存用に記録する。無線ＬＡＮ送受信部２０８ｃは、無線ＬＡＮアンテナ２０７ｃを通じて、前記無線ＬＡＮアクセスポイントと通信を行い、公開サーバに保存されている閲覧用画像を受信する。また、ＮＦＣ送受信部２１０ｃは、ＮＦＣアンテナ２０９ｃを通じて、前記画像ステーションとの間で後述の通信を行う。
【００２３】
制御回路（ＣＰＵ）２１１ｃは、後述のＲＯＭ２１２ｃに格納されているプログラムを実行する。ここでいうプログラムとは、本実施形態にて後述する各種シーケンスを実行するためのプログラムのことであり、後述する本実施形態の各処理を実現する。また、液晶ドライバ２０２ｃ等を制御することにより表示制御も行う。ＲＯＭ２１２ｃは、電気的に消去・記録可能な不揮発性メモリであって、前述のプログラム、本体の設定内容等が格納される。
【００２４】
次に、本実施形態の画像利用システムを構成する機器の動作を、図３のフローチャートを用いて説明する。なおデジタルカメラおよび携帯端末にはそれぞれ識別用の機器ＩＤとして、デジタルカメラでは“Ｃ”で始まる文字列、携帯端末では“Ｐ”で始まる文字列が設定されている。また、本実施形態では、画像ステーションにユーザごとのアカウントが登録されており、該登録されているアカウントごとにユーザＩＤ、パスワードが設定されている。また公開サーバも同一のアカウントが設定されており、上記のユーザＩＤ、パスワードによりログインする構成となっている。
【００２５】
これらのユーザＩＤ、パスワードは携帯端末にもログイン情報として格納されており、携帯端末から公開サーバに保管されている画像を閲覧する際は、該ログイン情報を公開サーバに送ることにより、自動的にログインすることができる。
【００２６】
図３は前記画像ステーションの動作を示すフローチャートである。同図において、Ｓ３０１で動作が開始すると、Ｓ３０２にて、ログイン情報が“なし”にリセットされ、Ｓ３０３にて、ＮＦＣ送受信部２１０ｃによる機器検出動作が開始する。機器検出動作は、ポーリング・デバイスとして動作する前記ＮＦＣ送受信部が出力する１３．５６ＭＨｚ搬送波の負荷変動を検出することにより行われ、デジタルカメラおよび携帯端末側の、リスニング・デバイスとして動作するＮＦＣ送受信部の接近により、前記負荷の変動が発生するので、これをきっかけにＮＦＣの接続が行われる。
【００２７】
接続が成功した場合はＳ３０４にて機器検出が成功したと判定され、Ｓ３０５にて、後述のタイムアウト測定用のタイマー２０８ａがスタートするとともに、前記機器ＩＤがＮＦＣを通じて取得される。なお前記機器検出は後述のＳ３０８以降の動作中も行われているとともにタイムアウトが設定されており、デジタルカメラまたは携帯端末の検出をきっかけに、所定時間（ここでは３分）以内に携帯端末またはデジタルカメラの検出がなかった場合は、Ｓ３０６にてタイムアウトと判定される。その場合はＳ３０７にてタイムアウトまでの間にデジタルカメラの検出があったかが判定され、ない場合はＳ３０３からの動作に戻る。
【００２８】
Ｓ３０５にて機器ＩＤが取得されると、Ｓ３０８にて検出した機器の判定が行われ、携帯端末であればＳ３０９、デジタルカメラであればＳ３１４に処理が移行する。Ｓ３０９では、前記ログイン情報がＮＦＣを通じて携帯端末から取得され、Ｓ３１０にて、画像ステーション内のアカウントと照合され、Ｓ３１１にて、取得したログイン情報が該登録されているアカウントのものと合致しているかが検出される。該検出された場合はＳ３１２にてログイン情報“あり”とした後、Ｓ３１３にて作業メモリ（ＤＲＡＭ）２０３ａに格納され、該検出されなかった場合はログイン情報“なし”のままとなる。
【００２９】
その後処理がＳ３０３に戻る。Ｓ３０８にて検出した機器がデジタルカメラと判定された場合は、Ｓ３１４にて、後述の無線ＬＡＮ接続のためのＳＳＩＤ（Ｓｅｒｖｉｃｅ  Ｓｅｔ  ＩＤｅｎｔｉｆｉｅｒ）および暗号ＫＥＹを、ＮＦＣを通じてデジタルカメラに通知し、Ｓ３１５にてデジタルカメラとの無線ＬＡＮ接続が実行される。なおここでの無線ＬＡＮ接続は、画像ステーションは簡易アクセスポイントとして動作し、デジタルカメラはクライアントとして動作するため画像ステーションと前記無線ＬＡＮアクセスポイントとの接続は維持されたまま、デジタルカメラとの接続も行われる。
【００３０】
その後Ｓ３１６にてデジタルカメラの記録媒体に保存されている画像が取得され、Ｓ３１７にて、取得した画像がストレージ媒体２０６ａに記録される。その後Ｓ３１８にて前記閲覧用画像が作成され、Ｓ３０３に処理が戻る。前記のＳ３０６にてタイムアウトとなった後、Ｓ３０７にてタイムアウトまでの間にデジタルカメラの検出があったと判定されると、Ｓ３１９にて、前記ログイン情報が“あり”か“なし”かが判定される。“なし”の場合はＳ３２０にて、閲覧用画像に共有権限を付加して公開サーバへのアップロードが行われ、“あり”の場合はＳ３２１にて閲覧用画像に個別権限を付加して公開サーバへのアップロードが行われる。
【００３１】
なお、共有権限は、画像ステーションに登録されているアカウントのユーザであればだれでも閲覧が出来る権限であり、個別権限は、画像ステーションに登録されているアカウントのユーザのうち、ログイン情報が一致する１人のユーザのみが閲覧できる権限である。前記個別権限が付与された後はＳ３２２にてログイン情報が“なし”にクリアされ、また前記共有権限が付与された場合はそのまま処理がＳ３０３に戻り、処理が継続される。
【００３２】
図４は前記デジタルカメラの動作を示すフローチャートである。同図において、Ｓ４０１で動作が開始すると、Ｓ４０２にてＮＦＣ送受信部２１５ｃにより、画像ステーションが前記搬送波を出しているかが検出され、前記ＮＦＣの接続が成功すると、Ｓ４０３にて、ＮＦＣを通じて機器ＩＤを送出する。その後Ｓ４０４にて、画像ステーションから前記ＳＳＩＤおよびＫＥＹの送信を待ち、デジタルカメラ側で受信が完了すると、Ｓ４０５にて、該ＳＳＩＤおよびＫＥＹを用いて前記画像ステーションとの無線ＬＡＮ接続を実行する。
【００３３】
接続が成功するとＳ４０６にて、無線ＬＡＮを通じて前記記録媒体２１１ｂに保存されている画像データが画像ステーションに送出される。その後Ｓ４０７にて前記保存されている画像データがすべて画像ステーションに送出されたことが確認できると、Ｓ４０８にて動作が終了する。
【００３４】
図５は前記携帯端末の動作を示すフローチャートである。同図において、Ｓ５０１で動作が開始すると、Ｓ５０２にてＮＦＣ送受信部２１５ｃにより、画像ステーションが前記搬送波を出しているかが検出され、前記ＮＦＣの接続が成功すると、Ｓ５０３にて、ＮＦＣを通じて機器ＩＤを送出する。その後Ｓ５０４にて、ＮＦＣを通じて前記ログイン情報を送出し、Ｓ５０５にて動作が終了する。
【００３５】
以下、前記画像ステーション、前記デジタルカメラ、２台の前記閲覧端末の連係動作について、図６乃至８のシーケンスチャートおよび図９の公開サーバにアップロードされた画像の例を示す図により説明する。
【００３６】
図６は閲覧端末［１］の所有者であるＡ氏がデジタルカメラで図９の９０１乃至９０３の写真を撮影し、閲覧権限がＡ氏のみとなるようにサーバにアップロードするシーケンスを示している。Ｓ６０１で写真を撮影した後、Ｓ６０２にて、画像ステーションの上にカメラを載せると、前記ＮＦＣによる通信の接続が行われ、Ｓ６０３にてデジタルカメラを示す機器ＩＤ「Ｃ＿００１」がデジタルカメラから画像ステーションに送信される。また同時に、画像ステーションにてタイムアウト時間（３分）を測定するタイマーがスタートする。
【００３７】
その後Ｓ６０４にて、画像ステーションからデジタルカメラに、画像ステーションを簡易アクセスポイントとして無線ＬＡＮ接続するためのＳＳＩＤおよび暗号ＫＥＹが送信され、Ｓ６０５にて無線ＬＡＮによる接続が行われる。その後Ｓ６０６にて、デジタルカメラから画像ステーションに対して図９に示す画像データＩＭＧ＿０００１．ＪＰＧ、ＩＭＧ＿０００２．ＪＰＧおよびＩＭＧ＿０００３．ＪＰＧが無線ＬＡＮ経由で送信される。
【００３８】
なお、このとき転送される画像は、１千万画素クラスのデジタルカメラで撮影された画像ファイルそのものであり、縮小、再圧縮などの加工がなされていない元画像である。また、該転送された画像は、デジタルカメラにて転送済みであることが管理され、再度画像ステーションの上にデジタルカメラを載せても、同じ画像ファイルが再度送信されることはない。その後、前記タイムアウトの時間内に、Ｓ６０７にて画像ステーションの上にＡ氏所有の閲覧端末［１］を載せると、前記ＮＦＣによる通信の接続が行われ、Ｓ６０８にて閲覧端末カメラ［１］を示す機器ＩＤ「Ｐ＿００１」がＮＦＣを通じて閲覧端末［１］から画像ステーションに送信される。
【００３９】
その後Ｓ６０９にて、画像ステーションおよび公開サーバにおけるＡ氏のユーザＩＤ「ＵＳＥＲ００１」およびパスワード「ａｂｃｄｅｆ０１」がログイン情報としてＮＦＣを通じて閲覧端末［１］から画像ステーションに送信される。
【００４０】
次にＳ６１０にて閲覧用画像が作成される。これは前記転送された画像を、閲覧端末の表示性能に見合ったＨＤサイズ（１４４０ｘ１０８０画素）に縮小するとともに、前記ログイン情報とともに閲覧権限を「個別権限」とする情報をＥｘｉｆタグ内にメタ情報として埋め込む行程である。なお、ログイン情報は所定の暗号化を書けた上で埋め込まれ、公開サーバ側で受信された後に暗号を復号する構成としてもよい。その後、Ｓ６１１にて、該作成された閲覧用画像が前記ネットワーク１０２を通じて画像ステーションから公開サーバに転送される。
【００４１】
図７は閲覧端末［２］の所有者であるＢ氏がデジタルカメラで図９の９０４乃至９０６の写真を撮影し、閲覧権限がＢ氏のみとなるようにサーバにアップロードするシーケンスを示している。Ｓ７０１で写真を撮影した後、Ｓ７０２にて画像ステーションの上にＢ氏所有の閲覧端末［２］を載せると、前記ＮＦＣによる通信の接続が行われ、Ｓ７０３にて閲覧端末カメラ［１］を示す機器ＩＤ「Ｐ＿００２」がＮＦＣを通じて閲覧端末［２］から画像ステーションに送信される。また同時に、画像ステーションにてタイムアウト時間（３分）を測定するタイマーがスタートする。
【００４２】
その後Ｓ７０４にて、画像ステーションおよび公開サーバにおけるＢ氏のユーザＩＤ「ＵＳＥＲ００２」およびパスワード「ｕｖｗｘｙｚ０２」がログイン情報としてＮＦＣを通じて閲覧端末［２］から画像ステーションに送信される。その後、前記タイムアウトの時間内に、Ｓ７０５にて、画像ステーションの上にカメラを載せると、前記ＮＦＣによる通信の接続が行われ、Ｓ７０６にてデジタルカメラを示す機器ＩＤ「Ｃ＿００１」がデジタルカメラから画像ステーションに送信される。その後Ｓ７０７にて、画像ステーションからデジタルカメラに、ＳＳＩＤおよび暗号ＫＥＹが送信され、Ｓ７０８にて無線ＬＡＮによる接続が行われる。
【００４３】
その後Ｓ７０９にて、デジタルカメラから画像ステーションに対して図９に示す画像データＩＭＧ＿０００４．ＪＰＧ、ＩＭＧ＿０００５．ＪＰＧおよびＩＭＧ＿０００６．ＪＰＧが無線ＬＡＮ経由で送信される。次にＳ７１０にて閲覧用画像が作成され、Ｓ７１１にて、該作成された閲覧用画像が前記ネットワーク１０２を通じて画像ステーションから公開サーバに転送される。
【００４４】
なお、図６および図７のシーケンス図で説明したように、本実施形態におけるシステムでは、画像ステーションに対してデジタルカメラおよび携帯端末を置く順序は、どちらが先であっても同様の結果となる。またタイムアウトのカウントスタートは、デジタルカメラまたは携帯端末のどちらかが先に置かれたタイミングとなる。さらに、デジタルカメラおよび携帯端末を同時に画像ステーションに置いた場合も、同様の結果となる。
【００４５】
図８はＡ氏がデジタルカメラで図９の９０７乃至９０８の写真を撮影し、閲覧権限が共有となるようにサーバにアップロードするシーケンスを示している。Ｓ８０１で写真を撮影した後、Ｓ８０２にて、画像ステーションの上にカメラを載せると、前記ＮＦＣによる通信の接続が行われ、Ｓ８０３にてデジタルカメラを示す機器ＩＤ「Ｃ＿００１」がデジタルカメラから画像ステーションに送信される。また同時に、画像ステーションにてタイムアウト時間（３分）を測定するタイマーがスタートする。その後Ｓ８０４にて、画像ステーションからデジタルカメラに、ＳＳＩＤおよび暗号ＫＥＹが送信され、Ｓ８０５にて無線ＬＡＮによる接続が行われる。
【００４６】
その後Ｓ８０６にて、デジタルカメラから画像ステーションに対して図９に示す画像データＩＭＧ＿０００７．ＪＰＧ、ＩＭＧ＿０００８．ＪＰＧが無線ＬＡＮ経由で送信される。その後、画像ステーションに携帯端末を置くことなくタイムアウト時間を迎えると、Ｓ８０７にて閲覧用画像が作成される。この場合は、前記ログイン情報は「なし」となり、閲覧権限は「共有権限」とする情報をＥｘｉｆタグ内にメタ情報として埋め込む。その後、Ｓ８０８にて、該作成された閲覧用画像が前記ネットワーク１０２を通じて画像ステーションから公開サーバに転送される。こうして、公開サーバに閲覧用画像に加工された図９に示す画像がアップロードされる。
【００４７】
以下に、上述の一連の処理が終わった状態の公開サーバの画像を携帯端末で閲覧する際の動作について述べる。本実施形態の携帯端末では、公開サーバにアップロードされている閲覧画像のうち、個別権限が付与されている画像については、閲覧画像に埋め込まれているユーザＩＤおよびパスワードと閲覧端末に格納されているユーザＩＤおよびパスワードが一致している画像のみ表示される構成となっている。
【００４８】
また、共有権限が付与されている画像はすべて表示される。また、前記個別権限が付与されている画像と、前記共有権限が付与されている画像が区別可能な態様で表示する構成となっている。図１０（ａ）は、前記携帯端末［１］で公開サーバにアップロードされた画像を閲覧したときの画像ビューアの一覧表示の例である。同図において、１００１ａはＩＭＧ＿０００１．ＪＰＧ（図９の９０１）のサムネイル画像、１００２ａはＩＭＧ＿０００２．ＪＰＧ（図９の９０２）のサムネイル画像、１００３ａはＩＭＧ＿０００１．ＪＰＧ（図９の９０３）のサムネイル画像、１００４はＩＭＧ＿０００７．ＪＰＧ（図９の９０７）のサムネイル画像、１００５はＩＭＧ＿０００８．ＪＰＧ（図９の９０８）のサムネイル画像である。
【００４９】
また図１０（ｂ）は、前記携帯端末［２］で公開サーバにアップロードされた画像を閲覧したときの画像ビューアの一覧表示の例である。同図において、１００１ｂはＩＭＧ＿０００４．ＪＰＧ（図９の９０４）のサムネイル画像、１００２ｂはＩＭＧ＿０００５．ＪＰＧ（図９の９０５）のサムネイル画像、１００３ｂはＩＭＧ＿０００６．ＪＰＧ（図９の９０６）のサムネイル画像、１００４ｂはＩＭＧ＿０００７．ＪＰＧ（図９の９０７）のサムネイル画像、１００５ｂはＩＭＧ＿０００８．ＪＰＧ（図９の９０８）のサムネイル画像である。
【００５０】
本実施形態の画像利用システムによれば、カメラから画像ステーションに画像を取り込む際に、閲覧端末を画像ステーションに載せることにより、該閲覧端末からの閲覧が可能になる権限が付与されるので、簡単かつ直感的な操作によって、画像の閲覧権限を設定しつつ画像のアップロードを行うことができる。
【００５１】
本実施形態においては、個別権限を付与する条件として、デジタルカメラまたは携帯端末といった機器が画像ステーションに置かれてから所定時間以内にもう一方の機器が画像ステーションに載せられた場合となっているが、これ以外にも、前回デジタルカメラから画像ステーションへの画像取り込み後、今回の取り込みまでの間に携帯端末が載せられた場合に該携帯端末の個別権限を付与する構成でもよい。
【００５２】
この構成では、該取り込み時に手元に携帯端末がなくても、次の取り込み時に個別権限を予約する使い方が可能となる。また、本実施形態の構成に加え、前記所定時間以内に複数の携帯端末が載せられた場合は、該複数の個別権限を付与する構成でもよい。この構成では、画像ステーションおよび公開サーバに３人以上のユーザが登録されている状況で、特定の複数人に閲覧権限を与える、といった使い方が可能となる。
【００５３】
［実施例２］
本発明をデジタルカメラおよび閲覧端末、さらにサーバおよび画像ステーションからなる画像利用システムにおいて実施した第二の実施例について、図面を用いて説明する。
【００５４】
本実施形態の画像利用システムの機器構成を示す図は、前記実施例１の図１に示す画像利用システムと同様である。また、本実施形態の画像利用システムを構成する機器のブロック図は、前記実施例１の図２に示すブロック図と同様である。
【００５５】
次に、本実施形態の画像利用システムを構成する機器の動作を、図１１のフローチャートを用いて説明する。なおデジタルカメラおよび携帯端末にはそれぞれ識別用の機器ＩＤとして、デジタルカメラでは“Ｃ”で始まる文字列、携帯端末では“Ｐ”で始まる文字列が設定されている。また、本実施形態では、画像ステーションにユーザごとのアカウントが登録されており、該登録されているアカウントごとにユーザＩＤ、パスワードが設定されている。また公開サーバも同一のアカウントが設定されており、上記のユーザＩＤ、パスワードによりログインする構成となっている。
【００５６】
これらのユーザＩＤ、パスワードは携帯端末にもログイン情報として格納されており、携帯端末から公開サーバに保管されている画像を閲覧する際は、該ログイン情報を公開サーバに送ることにより、自動的にログインすることができる。
【００５７】
図１１は前記画像ステーションの動作を示すフローチャートである。同図において、Ｓ１１０１で動作が開始すると、Ｓ１１０２にて、ログイン情報が“なし”にリセットされ、Ｓ１１０３にて、ＮＦＣ送受信部２１０ｃによる機器検出動作が開始する。機器検出動作は、ポーリング・デバイスとして動作する前記ＮＦＣ送受信部が出力する１３．５６ＭＨｚ搬送波の負荷変動を検出することにより行われ、デジタルカメラおよび携帯端末側の、リスニング・デバイスとして動作するＮＦＣ送受信部の接近により、前記負荷の変動が発生するので、これをきっかけにＮＦＣの接続が行われる。
【００５８】
接続が成功した場合はＳ１１０４にて機器検出が成功したと判定され、Ｓ１１０５にて、前記機器ＩＤがＮＦＣを通じて取得される。なお前記機器検出は後述のＳ１１０８以降の動作中も行われているとともにタイムアウトが設定されており、デジタルカメラの検出をきっかけに、所定時間（ここでは３分）以内に携帯端末またはデジタルカメラの検出がなかった場合は、Ｓ１１０６にてタイムアウト（機器）と判定される。その場合はＳ１１０７にてタイムアウトまでの間にデジタルカメラの検出があったかが判定され、ない場合はＳ１１０３からの動作に戻る。
【００５９】
Ｓ１１０５にて機器ＩＤが取得されると、Ｓ１１０８にて検出した機器の判定が行われ、携帯端末であればＳ１１０９、デジタルカメラであればＳ１１１６に処理が移行する。Ｓ１１０９では、前記ログイン情報がＮＦＣを通じて携帯端末から取得され、Ｓ１１１０にて、画像ステーション内のアカウントと照合され、Ｓ１１１１にて、取得したログイン情報が該登録されているアカウントのものと合致しているかが検出される。該検出された場合はＳ１１１２にて、タイムアウト前か後かが検出される。
【００６０】
タイムアウト判定は、Ｓ１１１６で起動する、すなわち携帯端末が画像ステーションに載せられる前にデジタルカメラが載せられていた場合に起動するタイマーがタイムアウトになっているかの判定で、タイムアウト前であれば、Ｓ１１１４にてログイン情報“あり”として、Ｓ１１１５にてログイン情報を作業メモリ（ＤＲＡＭ）２０３ａに格納した上で、処理がＳ１１０３に戻される。また、タイムアウト後またはタイマースタート前であれば、Ｓ１１１３にて、すでにアップロードされている画像に共有権限の画像があるかが検出され、該画像がない場合は、特に処理はなくＳ１１０３の処理に戻る。
【００６１】
また該画像があると検出された場合は、Ｓ１１２５にて、ストレージ媒体２０６ａに記録されている、該画像の元画像から閲覧用画像が作成され、Ｓ１１２６にて、ログイン情報を付加した上で再アップロードが行われる。Ｓ１１１３にて該検出されなかった場合はログイン情報“なし”のままである。Ｓ１１０８にて検出した機器がデジタルカメラと判定された場合は、Ｓ１１１６にて前記タイムアウト測定用のタイマー２０８ａがスタートし、Ｓ１１１７にて、無線ＬＡＮ接続のためのＳＳＩＤおよび暗号ＫＥＹを、ＮＦＣを通じてデジタルカメラに通知し、Ｓ１１１８にてデジタルカメラとの無線ＬＡＮ接続が実行される。
【００６２】
なおここでの無線ＬＡＮ接続は、画像ステーションは簡易アクセスポイントとして動作し、デジタルカメラはクライアントとして動作するため画像ステーションと前記無線ＬＡＮアクセスポイントとの接続は維持されたまま、デジタルカメラとの接続も行われる。その後Ｓ１１１９にてデジタルカメラの記録媒体に保存されている画像が取得され、Ｓ１１２０にて、取得した画像がストレージ媒体２０６ａに記録される。その後Ｓ１１２１にて前記閲覧用画像が作成され、Ｓ１１０３に処理が戻る。
【００６３】
前記のＳ１１０６にてタイムアウトとなった後、Ｓ１１０７にてタイムアウトまでの間にデジタルカメラの検出があったと判定されると、Ｓ１１２２にて、前記ログイン情報が“あり”か“なし”かが判定される。“なし”の場合はＳ１１２３にて、閲覧用画像に共有権限を付加して公開サーバへのアップロードが行われ、“あり”の場合はＳ１１２４にて閲覧用画像に個別権限を付加して公開サーバへのアップロードが行われる。なお共有権限は、画像ステーションに登録されているアカウントのユーザであればだれでも閲覧が出来る権限であり、個別権限は、画像ステーションに登録されているアカウントのユーザのうち、ログイン情報が一致する１人のユーザのみが閲覧できる権限である。
【００６４】
前記個別権限が付与された後はＳ１１２７にてログイン情報が“なし”にクリアされ、また前記共有権限が付与された場合はそのまま処理がＳ１１０３に戻り、処理が継続される。
【００６５】
以上説明したように、画像ステーションにデジタルカメラを載せ、その後携帯端末を載せない状態でタイムアウトすると該取り込まれた画像から作成された閲覧用画像は共有権限を付与されて公開サーバにアップロードされる。
【００６６】
しかし本実施形態の特徴とするところは、その後画像ステーションに携帯端末を載せると、共有権限でアップロードされた画像について、個別権限を付与された閲覧用画像が後から再アップロードされる点にある。この構成においては、デジタルカメラから画像ステーションへの画像取り込み時に携帯端末がその場になくても、後から個別権限を付与する、といった使い方が可能となる。
【符号の説明】
【００６７】
１０１  公開サーバ、１０２  ネットワーク、１０３  無線ＬＡＮアクセスポイント、
１０４  閲覧端末、１０５  デジタルカメラ、１０６  画像ステーション、
２０１ａ  無線ＬＡＮアンテナ、２０２ａ  無線ＬＡＮ送受信部、
２０３ａ  作業メモリ（ＤＲＡＭ）、２０４ａ  ＮＦＣアンテナ、
２０５ａ  ＮＦＣ送受信部、２０６ａ  ストレージ媒体、
２０７ａ  閲覧用画像作成回路、２０８ａ  タイマー、２０９ａ  制御回路（ＣＰＵ）、
２１０ａ  ＲＯＭ、２１１ａ  データバス、２０１ｂ  撮影レンズ、２０２ｂ  絞り、
２０３ｂ  撮像素子、２０４ｂ  Ａ／Ｄコンバータ、２０５ｂ  画像処理回路、
２０６ｂ  データバス、２０７ｂ  符号化回路、２０８ｂ  液晶パネル、
２０９ｂ  液晶ドライバ、２１０ｂ  作業メモリ（ＤＲＡＭ）、２１１ｂ  記録媒体、
２１２ｂ  無線ＬＡＮアンテナ、２１３ｂ  無線ＬＡＮ送受信部、
２１４ｂ  ＮＦＣアンテナ、２１５ｂ  ＮＦＣ送受信部、２１６ｂ  操作回路、
２１７ｂ  制御回路（ＣＰＵ）、２１８ｂ  ＲＯＭ、２０１ｃ  液晶パネル、
２０２ｃ  液晶ドライバ、２０３ｃ  作業メモリ（ＤＲＡＭ）、
２０４ｃ  タッチパネル、２０５ｃ  タッチパネルドライバ、２０６ｃ  記録媒体、
２０７ｃ  無線ＬＡＮアンテナ、２０８ｃ  無線ＬＡＮ送受信部、
２０９ｃ  ＮＦＣアンテナ、２１０ｃ  ＮＦＣ送受信部、
２１１ｃ  制御回路（ＣＰＵ）、２１２ｃ  ＲＯＭ
【図１】
2017021549.tif 000003
【図２】
2017021549.tif 000004
【図３】
2017021549.tif 000005
【図４】
2017021549.tif 000006
【図５】
2017021549.tif 000007
【図６】
2017021549.tif 000008
【図７】
2017021549.tif 000009
【図８】
2017021549.tif 000010
【図９】
2017021549.tif 000011
【図１０】
2017021549.tif 000012
【図１１】
2017021549.tif 000013